(57)【要約】本発明は、食料品に対して流体を通さない収納部（８）を形成するように入れ物の端部の少なくとも１部に、少なくとも１つの突き出た舌片（５、５’、５”及び６）を含む、軟質エンベロープ（２）の固定ステップを含む、入れ物（１）内に配置された腐敗しやすい製品（１０）の保存方法であって、前記収納部（８）に含まれる流体、例えば大気を追い払うための次のステップ：ａ）前記収納部（８）の内部及び外部の間に一時的通路を形成するように、前記舌片（５、５’又は５”）の少なくとも１つを延伸することからなる延伸ステップ、ｂ）前記収納部（８）に含まれる流体が、前記一時的通路から排出されるように、食料品及び／又は入れ物（１）に対する軟質エンベロープ（２）の圧縮又は被覆加工ステップ、ｃ）前記通路の閉塞ステップを含むことを特徴とする方法に関する。
2005502401.tif 000002
【特許請求の範囲】
【請求項１】
食料品に対して流体を通さない収納部（８）を形成するように入れ物の端部の少なくとも１部に、少なくとも１つの突き出た舌片（５、５’、５”及び６）を含む、軟質エンベロープ（２）の固定ステップを含む、入れ物（１）内に配置された腐敗しやすい製品（１０）の保存方法であって、前記収納部（８）に含まれる流体、例えば大気を追い払うための次のステップ：
ａ）前記収納部（８）の内部及び外部の間に一時的通路を形成するように、前記舌片（５、５’又は５”）の少なくとも１つを延伸することからなる延伸ステップ、
ｂ）前記収納部（８）に含まれる流体が、前記一時的通路から排出されるように、食料品及び／又は入れ物（１）に対する軟質エンベロープ（２）の圧縮又は被覆加工ステップ、
ｃ）前記通路の閉塞ステップを含むことを特徴とする方法。
【請求項２】
軟質エンベロープ（２）を入れ物（１）の端部に完全に適合するように延伸することからなる予備ステップを含むことを特徴とする請求項１に記載の腐敗しやすい製品の保存方法。
【請求項３】
前記収納部（８）内部及び外部の間に連通管を形成するように、収納部（８）内部への舌片（６）の少なくとも１つの挿入ステップを同様に含むことを特徴とする請求項１に記載の腐敗しやすい製品の保存方法。
【請求項４】
収納部（８）内への少なくとも１つの舌片（６）の、この挿入ステップに引き続き、電子レンジ又は同等の設備による収納部（８）内に配置される製品（１０）の再加熱及び／又は加熱調理ステップを含むことを特徴とする請求項３に記載の腐敗しやすい製品の保存方法。
【請求項５】
例えば、収納部（８）内に存在する製品を識別するために、エンベロープ（２）の面の一方への書き込みステップを含むことを特徴とする請求項１に記載の腐敗しやすい製品の保存方法。
【請求項６】
エンベロープ（２）の面の一方への、例えば広告、食料品に合った注意、及び／又は一般的指図の伝達を図示する支持体の、例えば接着による固定ステップを含むことを特徴とする請求項１に記載の腐敗しやすい製品の保存方法。
【請求項７】
第１エンベロープ（２）及び／又は入れ物（１）への少なくとも１つの第２エンベロープ（２’）の固定ステップを含み、第２エンベロープ（２’）は、保存する腐敗しやすい製品（１０）の温度を低下及び／又は維持するために、例えば氷塊（９）又は断熱製品を含み得ることを特徴とする請求項１に記載の腐敗しやすい製品の保存方法。
【請求項８】
食料品に対して流体を通さない収納部（８）を形成するように入れ物の端部の少なくとも１部に、少なくとも１つの突き出た舌片（５、５’、５”及び６）を含む、軟質エンベロープ（２）の固定ステップ、前記収納部（８）の内部及び外部の間に一時的通路を形成するように、前記舌片（５、５’又は５”）の少なくとも１つを延伸することからなる延伸ステップ、前記収納部（８）に含まれる流体、例えば大気が、前記一時的通路から排出されるように、食料品及び／又は入れ物（１）に対する軟質エンベロープ（２）の圧縮又は被覆加工ステップ、前記通路の閉塞ステップからなり、伸縮自在に変形可能なエンベロープ（２）を含む、入れ物内に配置された腐敗しやすい製品の保存を確実にすることからなる方法を実施するための保存装置であって、突き出た舌片の少なくとも１つ（６）が、他の舌片（５、５’及び５”）よりも大きな長さを有する、複数の突き出た舌片（５、５’、５”及び６）を含むことを特徴とする装置。
【請求項９】
エンベロープ（２）は、ほぼ円筒形状の部分（４）が、端部で垂直に延伸されるほぼ円形の平坦な表面（３）を含むことを特徴とする請求項８に記載の保存装置。
【請求項１０】
突き出た舌片（５、５’、５”及び６）は、エンベロープ（２）の平坦な表面（３）によって画定される平面と平行な平面内で伸長することを特徴とする請求項８及び９に記載の保存装置。
【請求項１１】
突き出た舌片（５、５’、５”及び６）は、円筒部分（４）のほぼ端部に位置することを特徴とする請求項１０に記載の保存装置。
【請求項１２】
突き出た舌片（５’及び５”）は、互いに対向して２つずつ配置されることを特徴とする請求項８から１０のいずれかに記載の保存装置。
【請求項１３】
エンベロープ（２）は、プラスチック製であることを特徴とする請求項８に記載の保存装置。
【請求項１４】
エンベロープ（２）は、例えばシリコーンのような従来のエラストマー製であることを特徴とする請求項１３に記載の保存装置。
【請求項１５】
平坦な表面（２）の端部（１２）及び円筒部分（４）は、平坦な表面（２）の残部よりも大きい厚さを有することを特徴とする請求項８から１３のいずれかに記載の保存装置。
【請求項１６】
上部の厚さは、正弦曲線形状を描く溝の形状を呈することを特徴とする請求項１５に記載の保存装置。
【請求項１７】
平坦な表面（２）は、０．４４ミリメートル±０．０５ｍｍの厚さを有し、その端部並びに円筒部分は、正弦曲線溝の凹部での０．４４ｍｍ±０．０５ｍｍから正弦曲線溝の頂部の１．４４ｍｍ±０．０５ｍｍまで変化する厚さを有することを特徴とする請求項１５及び１６に記載の保存装置。
【請求項１８】
前記部分（４）は、前記収納部（８）の完全な密封性を確実にすることができる複数の弾性傾斜要素（１３）を含むことを特徴とする請求項９に記載の保存装置。
【請求項１９】
前記傾斜要素（１３）は、円筒部分（４）の内部表面上に位置する、すなわち、傾斜要素（１３）は、入れ物（１）の壁と接触することを特徴とする請求項１８に記載の保存装置。
【発明の詳細な説明】
【技術分野】
【０００１】
本発明は、腐敗しやすい製品の保存装置に関する。本発明は、例えば生野菜又は生でない野菜、肉及び／又は焼いたでんぷん質の野菜からなる料理のような食物に、特に、但し専らでなく応用される。
【背景技術】
【０００２】
現在、料理の保存を改善するために、比較的容易に切り取られて料理の上に配置されることを可能にする、伝統的にボール紙の円筒の周囲に巻かれた、一般的に透明なプラスチックの薄膜ロールが、市場で知られている；前記膜は、前記料理の上にそれを固定するために、膜を接着、または密着するようにする、固有の特性を有する。
【０００３】
しかしこのシステムは、前記薄膜の脆弱性及び接着性ゆえに、前記薄膜を再利用することを可能にせず、このことは、他のロールを定期的に入手することを使用者に強いる；これらのロール購入は、無視できないコストとなる。
【０００４】
その上、このシステムは、食物を効果的に保存する可能性を与えない。実際、食物の劣化は、本質的に食物を劣化させる大気と、食物が接触することによる。しかるに、この薄膜のシステムは、薄膜及び保存する食物の間に閉じ込められた大気を排出するために有効かつ容易な手段を構成せず、かつそれを有さない。
【０００５】
その上、特に周囲温度又は所望の温度で保存され得る運搬可能かつ密閉した入れ物内に収納された食料品の保存及び包装方法に関する仏国特許出願公開第２７３７４６７号明細書がすでに知られている。入れ物内部は、封着前に部分真空にされる。軟質又は半硬質プラスチックが、入れ物を構成するために使用され、密封体積内部に残る空気体積は、熱処理の温度上昇中の内圧及び外圧の釣り合いのために、プラスチックの入れ物の僅かな変形を可能にする。
【０００６】
しかし、この方法は、部分真空を機械的に作るように、入れ物内部に閉じ込められた空気を吸入する、非常に複雑であり、かつ高価な装置を使用する。このように、このシステムは、真空を作るために特殊な器具の使用を必要とし、かつ普通の個人は、このタイプの器具を例外的にしか有さず、このことは、この方法を非常に高価にし、かつそれ故にある種の部門の専門家、例えばレストラン業の専門家の専用のものとする。
【発明の開示】
【課題を解決するための手段】
【０００７】
従って、本発明は、先行技術の装置及び方法の不都合を防ぐことを目的とする。このために、本発明は、食料品に対して流体を通さない収納部を形成するように入れ物の端部の少なくとも１部に、少なくとも１つの突き出た舌片を含む、軟質エンベロープの固定ステップを含む、入れ物内に配置された腐敗しやすい製品の保存方法であって：
ａ）前記収納部の内部及び外部の間に一時的通路を形成するように、前記舌片の少なくとも１つを延伸することからなる延伸ステップ、
ｂ）前記収納部に含まれる流体、例えば大気が、前記一時的通路から排出されるように、食料品及び／又は入れ物に対する軟質エンベロープの圧縮又は被覆加工ステップ、
ｃ）前記通路の閉塞ステップを含むことを特徴とする方法を提案する。
【０００８】
保存とは、腐敗しやすい製品を、その消費及び／又は使用まで保護することを意味する。
【０００９】
好適には、本発明による方法は、軟質エンベロープを入れ物の端部に完全に適合するように延伸することからなる予備ステップを含む。
【００１０】
本発明により与えられる可能性によれば、本発明の方法は、前記収納部内部及び外部の間に通路を形成するように、収納部内部への舌片の少なくとも１つの挿入ステップを同様に含む。この収納部内への少なくとも１つの舌片の挿入ステップに引き続き、本発明による方法は、電子レンジ又は同等の設備による収納部内に配置される製品の再加熱及び／又は加熱調理ステップを含む。
【００１１】
従ってこれらの特殊性により、本発明は、限りなく再使用可能であるという利点を更に有する、簡易かつ有効なシステム提案して、食物の保存及び特に味わいを著しく改善することを可能にする。
【００１２】
本発明により与えられる可能性によれば、本発明による方法は、例えば、収納部内に存在する食料品を識別するために、エンベロープの面の一方、理想的には外面への書き込みステップを含み得る。同様に、本発明の方法は、本発明によるエンベロープの面の一方への、例えば広告、食料品に合った注意、及び／又は一般的指図の伝達を図示する支持体の、例えば接着による固定ステップを含み得る。
【００１３】
本発明は、伸縮自在に変形可能なエンベロープを含む、入れ物内に配置された腐敗しやすい製品の保存を確実にすることからなる方法を実施するための保存装置であって、複数の突き出た舌片を含むことを特徴とする装置にも同様に関する。
【００１４】
本発明の実施態様によれば、エンベロープは、ほぼ円筒形状の部分が、端部で垂直に延伸されるほぼ円形の平坦な表面を含む。
【００１５】
本発明による装置を例証するこの実施例において、突き出た舌片は、円筒部分のほぼ端部に位置する。
【００１６】
同様に、本発明の装置は、等しい大きさを有する４つの舌片を含み、かつそれらは、互いに対向して２つずつ配置される。エンベロープは、理想的には他の舌片よりも大きな長さを有する少なくとも１つの突き出た舌片を同様に含む。
【００１７】
好ましくは、エンベロープは、プラスチックで作られる。例えば、エンベロープは、例えばシリコーンのような従来のエラストマー製であっても良い。
【００１８】
本発明の実施態様が、添付図面を参照して、非限定的な実施例として以下に記載される。
【発明を実施するための最良の形態】
【００１９】
特に図４で明白であるように、本発明による保存方法は、従来の入れ物、この場合磁器の皿１に応用される。それでも、容器がプラスチック、磁器、ガラス、金属、木、又は他のあらゆる材料でできていようと、本発明が、あらゆるタイプの容器に応用され得ることが明らかである。
【００２０】
図１は、伸縮自在に変形可能であるので、入れ物のあらゆる形状に適合することを可能にする弾性を与えるように、エラストマー、例えばシリコーンで作られた、軟質エンベロープ２を示す。
【００２１】
同様に、エンベロープは、密封材料が、食料品、非食料品又は工業製品の入れ物に適合するために延伸される時に、密封特性を保つ密封材料内で作られ、かつ最善の場合、それが保存する製品１０に適合し得るように作られる。このために、エンベロープ２は、電子レンジタイプの方法又は同等の方法による冷凍から再加熱に及ぶ可変温度に耐えることができる材料でできていても良い。
【００２２】
本発明を例証するために選択した実施例において、エンベロープ２は、円筒部分４が、端部で垂直に伸長するほぼ球状の平坦な表面３を有する。図２で明白であるように、エンベロープ２は、互いに反対に２つずつ配置される４つの突き出た舌片５、すなわち軸Ｘ’Ｘ上の２つの舌片５’及びこの軸Ｘ’Ｘに垂直な直径に配置された２つの舌片５”を同様に含む。これらの４つの舌片５’及び５”は、エンベロープ２の前記平坦な表面３の平面に平行な同一平面内で伸長する。
【００２３】
更に、エンベロープは、４つの他の舌片５’及び５”と異なるサイズ及び形状を有するが、これらの舌片５’及び５”と同一平面内に伸長する細長い舌片６を含む。
【００２４】
このようにして、軟質エンベロープ２は、前記軟質エンベロープ２が入れ物又は容器の外縁又は端部に最も良く係合するために、前記軟質エンベロープを伸縮自在に延伸して、入れ物上に、又はより正確には、図５から８に示すような缶詰の缶７のような、入れ物１又は容器の開口部上に置かれる。円筒部分４は、エンベロープ２が、入れ物１の端部又は容器の開口部の様々な形状に完全に、かつ大気のような流体を通さずに適合することを特に可能にする。
【００２５】
このようにして、エンベロープ２が、入れ物１の端部、又は容器の開口部に固定される時、前記入れ物又は前記容器は、閉鎖した、かつ密封の収納部８をエンベロープと共に形成する。
【００２６】
本発明によるエンベロープ２の使用者は、一旦エンベロープが、製品、例えば腐敗しやすい食料品が中にある入れ物１又は容器に固定されると、収納部８内部及び周囲空気の間の連通を可能にする管又は通路を形成するために、舌片５、５’又は５”の一方を引っ張って、大気を容易に追い払い得るであろう。
【００２７】
引き続きまたは同時に、使用者は、収納部８内に閉じ込められた空気が、そのために形成された前記管又は通路から排出されるように、食料品及び／又は入れ物１の表面に対して、エンベロープ２の平坦な表面３を被覆加工又は圧縮するために、第２の手を使用する。
【００２８】
最初に収納部８に存在する空気、又はガスが収納部８から排出され次第、使用者は、最初に収納部８に存在する空気を排出するための一時的管又は通路を閉塞又は閉鎖するように、入れ物の端部又は容器の開口部にエンベロープ２を密封して改めて固定する。
【００２９】
本発明による装置は、エンベロープ２及び入れ物１の間の収納部８内にある製品を再加熱及び／又は加熱調理することも同様に可能にする。なぜならば、これら２つの要素１及び２は、電子レンジ又は同等の設備内に置かれ得るからである。電子レンジは、再加熱されるための製品の水分子を励起して機能し、このことは、電子レンジ内に存在する要素１及び２の一方又は他方に損害を及ぼさないために、かつ特に製品が水びたしにならないために、多くの場合に、前記収納部８のような閉鎖された環境から排出することが必要である水蒸気を生み出す。このために、細長い舌片６は、水蒸気が、収納部８の外に、その固有の圧力の影響下で、排出され得るように、収納部８内部及び外部の大気の間に、小さな連絡通路を構成するように、収容部８内に使用者によって導入される。
【００３０】
本発明による装置によって、腐敗しやすい製品を、大気との接触から保護して、保存することが、あらゆる人にとって要するに可能である。このようにして、周囲空気と接触せずに密封した収納部８又は容積内に製品を保存することは、製品が当初有していた、その香り、組織及びあらゆる性質を保つことを可能にする。
【００３１】
本発明によって与えられ、かつ図９及び１０に示す可能性によれば、第２エンベロープ２’は、第１エンベロープ２及び／又は入れ物１に固定され得る。この第２エンベロープ２’は、好適には、特に食料品又は製品が変質することを回避するために、食料品又は製品を比較的低温に維持することが可能な、ある量の氷９又は他の断熱製品を含み得る。当然に、製品又は食料品の温度低下／維持効果を増加させる又は改善するために、本発明による複数のエンベロープを固定することが検討され得る。
【００３２】
図１１及び１２で例証する、本発明による装置の実施応用例によれば、平坦な表面３の端部１２は、厚さが強化され、かつ例えば、円筒部分４に沿って正弦曲線形状を描く、溝の形状で延長される。円筒部分４は、その場合例えば正方形の補強材１１で終わる；この補強材は、打ち抜き現象を回避することを特に可能にする。
【００３３】
この応用例によれば、平坦な表面２の端部１２及び円筒部分４は、その場合平坦な表面２の残部よりも大きい厚さを有する。このようにして、平坦な表面が、０．４４ミリメートル±０．０５ｍｍの厚さを例えば有し、その端部並びに円筒部分は、正弦曲線溝の凹部での０．４４ｍｍ±０．０５ｍｍから正弦曲線溝の頂部の１．４４ｍｍ±０．０５ｍｍまで変化する厚さを有することを検討することができる。
【００３４】
その組織により、本発明による装置は、容易に洗浄することができ、かつ類似する又は異なる食料品、又は製品に対し再利用することができる。
【００３５】
図１３及び１４で明白な、包装装置の実施態様において、平坦な表面３から伸長するほぼ円筒形状の部分４は、流体を通さない収納部８の密封性を、特に有効に確実にすることができる複数の弾性傾斜要素１３を含む。このために、前記傾斜要素１３は、円筒部分４の内部表面上に位置する、すなわち、傾斜要素１３は、入れ物１の壁と接触する。
【００３６】
これらの傾斜要素１３は、理想的には前記部分４の同一の構成材料内にあっても良く、又はこの部分４の表面に付け加えられ、かつ固定され得る。当然にこの場合、傾斜要素１３は、収納部８の密封性を確実にするために適切な、他のあらゆる材料で作られ得る。
【００３７】
本発明は、以上において、実施例として記載されている。当業者が、本発明による腐敗しやすい製品の保存方法及び装置の種々の応用例を、特にエンベロープ２の形状（円形、卵形、正方形、長方形又は他のあらゆる形状）、又はその大きさに関して、本発明の枠を逸脱することなく実施又は検討することができることは、理解される；このエンベロープ２は、入れ物１の形状に単に適合し得ねばならない。同様に、舌片５、５’、５”若しくは６の数及び／又はエンベロープ２上のそれらの配置は、本発明による装置の応用例としかならない。
【図面の簡単な説明】
【００３８】
【図１】本発明による腐敗しやすい製品の保存装置の斜視図である。
【図２】図１に示した装置の平面図である。
【図３】図２に示した装置の軸Ｘ’Ｘに沿った垂直断面図である。
【図４】円筒容器、例えば缶詰用の缶内に配置された本発明による腐敗しやすい製品の保存装置の様々な固定ステップを断面図により示す。
【図５】円筒容器、例えば缶詰用の缶内に配置された本発明による腐敗しやすい製品の保存装置の様々な固定ステップを断面図により示す。
【図６】円筒容器、例えば缶詰用の缶内に配置された本発明による腐敗しやすい製品の保存装置の様々な固定ステップを断面図により示す。
【図７】円筒容器、例えば缶詰用の缶内に配置された本発明による腐敗しやすい製品の保存装置の様々な固定ステップを断面図により示す。
【図８】円筒容器、例えば缶詰用の缶内に配置された本発明による腐敗しやすい製品の保存装置の様々な固定ステップを断面図により示す。
【図９】第２エンベロープが入れ物及び／又は第１エンベロープに固定される、本発明による方法の応用例を示す。
【図１０】第２エンベロープが入れ物及び／又は第１エンベロープに固定される、本発明による方法の応用例を示す。
【図１１】本発明によるエンベロープの部分の斜視図である。
【図１２】図１１に示したエンベロープの部分の垂直断面図である。
【図１３】本発明による腐敗しやすい製品の保存装置の実施態様の垂直断面図である。
【図１４】図１３に示す包装装置の部分の垂直断面図である。
【図１】
2005502401.tif 000003
【図２】
2005502401.tif 000004
【図３】
2005502401.tif 000005
【図４】
2005502401.tif 000006
【図５】
2005502401.tif 000007
【図６】
2005502401.tif 000008
【図７】
2005502401.tif 000009
【図８】
2005502401.tif 000010
【図９】
2005502401.tif 000011
【図１０】
2005502401.tif 000012
【図１１】
2005502401.tif 000013
【図１２】
2005502401.tif 000014
【図１３】
2005502401.tif 000015
【図１４】
2005502401.tif 000016
【国際公開パンフレット】
2005502401.tif 000017
2005502401.tif 000018
2005502401.tif 000019
2005502401.tif 000020
2005502401.tif 000021
2005502401.tif 000022
2005502401.tif 000023
2005502401.tif 000024
2005502401.tif 000025
2005502401.tif 000026
2005502401.tif 000027
2005502401.tif 000028
2005502401.tif 000029
2005502401.tif 000030
2005502401.tif 000031
2005502401.tif 000032
2005502401.tif 000033
2005502401.tif 000034
2005502401.tif 000035
2005502401.tif 000036
2005502401.tif 000037
2005502401.tif 000038
2005502401.tif 000039
【国際公開パンフレット（コレクトバージョン）】
2005502401.tif 000040
2005502401.tif 000041
【手続補正書】
【提出日】平成15年3月6日(2003.3.6)
【手続補正１】
【補正対象書類名】特許請求の範囲
【補正対象項目名】全文
【補正方法】変更
【補正の内容】
【特許請求の範囲】
【請求項１】
食料品に対して流体を通さない収納部（８）を形成するように入れ物の端部の少なくとも１部に、少なくとも１つの突き出た舌片（５、５’、５”及び６）を含む、軟質エンベロープ（２）の固定ステップを含み、前記収納部（８）に含まれる流体、例えば大気を追い払うための次のステップ：
ａ）前記収納部（８）の内部及び外部の間に一時的通路を形成するように、前記舌片（５、５’又は５”）の少なくとも１つを延伸することからなる延伸ステップ、
ｂ）前記収納部（８）に含まれる流体が、前記一時的通路から排出されるように、食料品及び／又は入れ物（１）に対する軟質エンベロープ（２）の圧縮又は被覆加工ステップ、
ｃ）前記通路の閉塞ステップを含む、入れ物（１）内に配置された腐敗しやすい製品（１０）の保存方法であって、前記収納部（８）内部及び外部の間に連通管を形成するように、収納部（８）内部への舌片（６）の少なくとも１つの挿入ステップを同様に含むことを特徴とする方法。
【請求項２】
軟質エンベロープ（２）を入れ物（１）の端部に完全に適合するように延伸することからなる予備ステップを含むことを特徴とする請求項１に記載の腐敗しやすい製品の保存方法。
【請求項３】
収納部（８）内への少なくとも１つの舌片（６）の、この挿入ステップに引き続き、電子レンジ又は同等の設備による収納部（８）内に配置される製品（１０）の再加熱及び／又は加熱調理ステップを含むことを特徴とする請求項１に記載の腐敗しやすい製品の保存方法。
【請求項４】
例えば、収納部（８）内に存在する製品を識別するために、エンベロープ（２）の面の一方への書き込みステップを含むことを特徴とする請求項１に記載の腐敗しやすい製品の保存方法。
【請求項５】
エンベロープ（２）の面の一方への、例えば広告、食料品に合った注意、及び／又は一般的指図の伝達を図示する支持体の、例えば接着による固定ステップを含むことを特徴とする請求項１に記載の腐敗しやすい製品の保存方法。
【請求項６】
第１エンベロープ（２）及び／又は入れ物（１）への少なくとも１つの第２エンベロープ（２’）の固定ステップを含み、第２エンベロープ（２’）は、保存する腐敗しやすい製品（１０）の温度を低下及び／又は維持するために、例えば氷塊（９）又は断熱製品を含み得ることを特徴とする請求項１に記載の腐敗しやすい製品の保存方法。
【請求項７】
食料品に対して流体を通さない収納部（８）を形成するように入れ物の端部の少なくとも１部に、少なくとも１つの突き出た舌片（５、５’、５”及び６）を含む、軟質エンベロープ（２）の固定ステップ、前記収納部（８）の内部及び外部の間に一時的通路を形成するように、前記舌片（５、５’又は５”）の少なくとも１つを延伸することからなる延伸ステップ、前記収納部（８）に含まれる流体、例えば大気が、前記一時的通路から排出されるように、食料品及び／又は入れ物（１）に対する軟質エンベロープ（２）の圧縮又は被覆加工ステップ、前記通路の閉塞ステップからなり、伸縮自在に変形可能なエンベロープ（２）を含む、入れ物内に配置された腐敗しやすい製品の保存を確実にすることからなる方法を実施するための保存装置であって、突き出た舌片の少なくとも１つ（６）が、他の舌片（５、５’及び５”）よりも大きな長さを有する、複数の突き出た舌片（５、５’、５”及び６）を含むことを特徴とする装置。
【請求項８】
エンベロープ（２）は、ほぼ円筒形状の部分（４）が、端部で垂直に延伸されるほぼ円形の平坦な表面（３）を含むことを特徴とする請求項７に記載の保存装置。
【請求項９】
突き出た舌片（５、５’、５”及び６）は、エンベロープ（２）の平坦な表面（３）によって画定される平面と平行な平面内で伸長することを特徴とする請求項７及び８に記載の保存装置。
【請求項１０】
突き出た舌片（５、５’、５”及び６）は、円筒部分（４）のほぼ端部に位置することを特徴とする請求項９に記載の保存装置。
【請求項１１】
突き出た舌片（５’及び５”）は、互いに対向して２つずつ配置されることを特徴とする請求項７から９のいずれかに記載の保存装置。
【請求項１２】
エンベロープ（２）は、プラスチック製であることを特徴とする請求項７に記載の保存装置。
【請求項１３】
エンベロープ（２）は、例えばシリコーンのような従来のエラストマー製であることを特徴とする請求項１２に記載の保存装置。
【請求項１４】
平坦な表面（２）の端部（１２）及び円筒部分（４）は、平坦な表面（２）の残部よりも大きい厚さを有することを特徴とする請求項７から１２のいずれかに記載の保存装置。
【請求項１５】
上部の厚さは、正弦曲線形状を描く溝の形状を呈することを特徴とする請求項１４に記載の保存装置。
【請求項１６】
平坦な表面（２）は、０．４４ミリメートル±０．０５ｍｍの厚さを有し、その端部並びに円筒部分は、正弦曲線溝の凹部での０．４４ｍｍ±０．０５ｍｍから正弦曲線溝の頂部の１．４４ｍｍ±０．０５ｍｍまで変化する厚さを有することを特徴とする請求項１４及び１５に記載の保存装置。
【請求項１７】
前記部分（４）は、前記収納部（８）の完全な密封性を確実にすることができる複数の弾性傾斜要素（１３）を含むことを特徴とする請求項８に記載の保存装置。
【請求項１８】
前記傾斜要素（１３）は、円筒部分（４）の内部表面上に位置する、すなわち、傾斜要素（１３）は、入れ物（１）の壁と接触することを特徴とする請求項１７に記載の保存装置。
【国際調査報告】
2005502401.tif 000042
2005502401.tif 000043
2005502401.tif 000044
2005502401.tif 000045
2005502401.tif 000046
2005502401.tif 000047